(57)【特許請求の範囲】
【請求項１】
暗視野時の照明ランプを有するカメラ付インターホンにおいて、
前記照明ランプとして、縦長楕円の照明パターンを有した複数の照明ランプを設けたことを特徴とする、カメラ付インターホン。
【請求項２】
前記複数の照明ランプの各々を、隣接する照明ランプの照明パターン同士が互いにその一部がオーバーラップするように、各々の照射領域が横方向に並ぶように、傾斜させて配置したことを特徴とする、請求項１に記載のカメラ付インターホン。
【発明の詳細な説明】
【０００１】
【発明の属する技術分野】
本発明は、暗視野時の照明ランプを有するカメラ付インターホンに関し、特に、カメラの撮像対象となる照射範囲を縦方向へも広くした、カメラ付インターホンに関する。
【０００２】
【従来の技術】
近時、一戸建て住宅や集合住宅等において、カメラ付インターホンが取り付けられるようになっている。
特に、暗視野時の照明ランプを有するカメラ付インターホンは、日没後など、外が暗くなった時に、来訪者があった場合、住戸人は、照明ランプで明るく照らしだされた来訪者を住戸内に設けられたモニターテレビにより見ることで、住居人が、夜間における訪問者を容易にチェックできるという長所があるので、幅広く採用されている。
【０００３】
図４は、そのような従来の暗視野時の照明ランプを有するカメラ付インターホンの外観の一例を概略的に示す正面図である。
このカメラ付インターホン１０１は、ＣＣＤ等のカメラ１０２と、複数の照明ランプ１０３，１０３，１０３，１０３と、カメラ１０２及び複数の照明ランプ１０３，１０３，１０３，１０３を取り付けるためのカメラユニット１０４と、押釦１０５と、これらを収容するベース１０６と、ベース１０６に着脱自在に取り付けられる表面カバー１０７とを備える。
【０００４】
複数の照明ランプ１０３，１０３，１０３，１０３の各々としては、一般に、ＬＥＤが用いられており、照明ランプ１０３，１０３，１０３，１０３の各々は、楕円の照射パターンを有している。
そして、このカメラ付インターホン１０１は、訪問者が、押釦１０５を押すと、複数の照明ランプ１０３，１０３，１０３，１０３の各々が一斉に点灯して来訪者を照らし出すようになっている。
【０００５】
図５は、カメラ付インターホン１０１に内蔵されているカメラユニット１０４を概略的に説明する図であり、図５（ａ）は、その正面図を、図５（ｂ）は、カメラユニット１０４を上方から下方に見た平面図である。
カメラユニット１０４は、複数の照明ランプ１０３，１０３，１０３，１０３、カメラ１０２その他の電装品を実装する基板１０８を有している。
【０００６】
そして、従来のカメラ付インターホン１０１では、照明ランプ１０３，１０３，１０３，１０３の各々は、基板１０８に垂直方向に、照明ランプ１０３，１０３，１０３，１０３同士が互いにぶつかり合わないように間隔を開いて取り付け、且つ、照明ランプ１０３，１０３，１０３，１０３の各々の照明パターンが互いに重なるようにし、照明ランプ１０３，１０３，１０３，１０３の照射範囲を明るく照らすことができるようにするとともに、照明ランプ１０３，１０３，１０３，１０３の各々の楕円の照射パターンが、横方向に楕円の長軸が位置するようにし、図６に示すような、照明ランプ１０３，１０３，１０３，１０３の各々の横長楕円形状のパターンにし、横方向を幅広く照らすようにし、暗闇の中でも、カメラ１０２が、横方向に広角な明るい映像を撮像できるようにしている。
【０００７】
また、従来は、照明ランプ１０３，１０３，１０３，１０３の各々の一対の端子は、図４に示すように、横方向に設けられた一対の接続孔ｈ、ｈに取り付けるようにしている。
【０００８】
【発明が解決しようとする課題】
しかしながら、従来の照明ランプ１０３，１０３，１０３，１０３の設け方では、照射範囲をより明るく照らしだすため、照明ランプの数をより沢山設けるようにすると、必然的に、照明ランプの取り付け体積が大きくなり、結果として、カメラ付きインターホンもそのサイズが大きくなってしまうという問題がある。
【０００９】
また、沢山の照明ランプを取り付けると、これらの照明ランプからの光を外部に照射するための開口部を大きくする必要が生じ、これに伴って、カメラ付インターホン１０１のデザインが悪くなるという問題もある。
また、従来の照明ランプの設け方では、暗闇の中でも、カメラ１０２が、横方向に広角な明るい映像を撮像できる横方向に広角な明るい映像を撮像できるものの、縦方向には、広角な明るい映像を撮像できないという問題があり、例えば、来訪者が子供のような背の低い者の場合には、来訪者の顔がモニターテレビに暗い映像として映り、来訪者のチェックがし難いという問題があった。
【００１０】
本発明は、以上のような問題を解決するためになされたものであって、横方向を幅広く照らすことができるとともに、縦方向についても幅広く照らすことができ、また、そのような幅広い領域を明るく照らすために、照明ランプを多数取り付けるようにしても、照明ランプの実装体積を広くとる必要がなく、且つ、照明ランプからの光を外部に照射するための開口部を大きくする必要のない、デザインの良い、カメラ付インターホンを提供することを目的としている。
【００１１】
【課題を解決するための手段】
請求項１に記載のカメラ付インターホンは、暗視野時の照明ランプを有するカメラ付インターホンにおいて、照明ランプとして、縦長楕円の照明パターンを有した複数の照明ランプを設けたことを特徴とする。
このカメラ付インターホンでは、照明ランプとして、縦長楕円の照明パターンを有した複数の照明ランプを設けているので、縦方向についても幅広く照らすことができる。
【００１２】
請求項２に記載のカメラ付インターホンは、請求項１に記載のカメラ付インターホンの、複数の照明ランプの各々を、隣接する照明ランプの照明パターン同士が互いにその一部が横方向にオーバーラップするように、各々の照射領域が横方向に並ぶように、傾斜させて配置したことを特徴としている。
このカメラ付インターホンでは、更に、複数の照明ランプの各々を、隣接する照明ランプの照明パターン同士が互いにその一部がオーバーラップするように、各々の照射領域が横方向に並ぶように設けているので、横方向にも幅広く照らすことができる。
【００１３】
更に、複数の照明ランプの各々を、傾斜させて配置しているので、複数の照明ランプの各々の頭部側が互いに接近するように設ければ、照明ランプからの光を外部に照射するための開口部を広くする必要が無いので、照明ランプを多数設けても、開口部を小さくできる。これにより、照射範囲の照度が高く、デザイン的にも優れた、カメラ付インターホンを提供できる。
【００１４】
また、照明ランプの各々の一対の端子を縦方向に設けられた一対の接続孔に取り付けるようにすれば、照明ランプは、一対の端子が並ぶ方向には、折り曲げ易いので、複数の照明ランプの各々を横方向に且つ隣接する照明ランプの照明パターン同士が互いにその一部がオーバーラップするように、傾斜させて配置させることが容易となる。
【００１５】
【発明の実施の形態】
以下に、本発明について、図面を参照しながら詳しく説明する。
図１は、本発明のカメラ付インターホンの外観の一例を示す正面図である。
このカメラ付インターホン１は、ＣＣＤ等のカメラ２と、複数の照明ランプ３ａ，３ｂ，３ｃ，３ｄと、カメラ２及び複数の照明ランプ３ａ，３ｂ，３ｃ，３ｄを取り付けるためのカメラユニット４と、押釦５と、これらを収容するベース６と、ベースに着脱自在に取り付けられる表面カバー７とを備える。
【００１６】
この例では、複数の照明ランプ３ａ，３ｂ，３ｃ，３ｄの各々としては、ＬＥＤを用いている。
そして、このカメラ付インターホン１は、訪問者が、押釦５を押すと、複数の照明ランプ３ａ，３ｂ，３ｃ，３ｄの各々が一斉に点灯して来訪者を照らしだすようになっている。
【００１７】
以上の構成は、従来のカメラ付インターホン１０１と同様であるが、このカメラ付インターホン１は、以下の構成が、従来のカメラ付インターホン１０１と、特に、異なっている。
図２は、カメラ付インターホン１に内蔵されているカメラユニット４を概略的に説明する図であり、図２（ａ）は、その正面図を、図２（ｂ）は、カメラユニット４を上方から下方に見た平面図である。
【００１８】
カメラユニット４は、複数の照明ランプ３ａ，３ｂ，３ｃ，３ｄ、カメラ２その他の電装品を実装する基板８を有しているが、このカメラ付インターホン１では、基板８に、照明ランプ３ａ，３ｂ，３ｃ，３ｄの各々が、垂直方向にではなく、傾斜するように設けられている。
より詳しく説明すると、照明ランプ３ａ，３ｂ，３ｃ，３ｄの各々は、図３に示すように、各々の照明パターンが、縦方向に楕円の長軸が位置するようにし、且つ、複数の照明ランプの各々を、横方向に且つ隣接する照明ランプの照明パターン同士が互いにその一部がオーバーラップするように、照明ランプ３ａ，３ｂ，３ｃ，３ｄの各々の照射領域が横方向に並ぶように、傾斜するように設けられている。
【００１９】
このカメラ付インターホン１では、照明ランプ３ａ，３ｂ，３ｃ，３ｄの各々として、横長楕円の照明パターンではなく、縦長楕円の照明パターンを有したものを用いているので、縦方向についても幅広く照らすことができる。したがって、例えば、来訪者が子供のような背の低い者の場合でも、来訪者の顔がモニターテレビに明るい映像として映るので、来訪者が背の低い者であっても、その者をモニターテレビで容易にチェックできる。
【００２０】
また、このカメラ付インターホン１では、複数の照明ランプ３ａ，３ｂ，３ｃ，３ｄの各々を、隣接する照明ランプ（この例では、照明ランプ３ａ，３ｂ，３ｃ，３ｄ）の照明パターン同士が互いにその一部がオーバーラップするように、横方向になるように設けているので、横方向にも幅広く照らすことができる。
且つ、照明ランプ３ａ，３ｂ，３ｃ，３ｄの各々の照度（ｌｕｘ）は、光源から近い位置ほど明るく、光源から遠い位置程、暗くなるが、このカメラ付インターホン１では、照明ランプ３ａ，３ｂ，３ｃ，３ｄの各々の照度（ｌｕｘ）が暗くなる部分をオーバーラップさせるようにしているので、光源から遠い位置でも、その照度があまり暗くならない。
【００２１】
更に、複数の照明ランプ３ａ，３ｂ，３ｃ，３ｄの各々を、傾斜させて配置しているので、複数の照明ランプ３ａ，３ｂ，３ｃ，３ｄの各々の頭部側が互いに接近するように設ければ、照明ランプ３ａ，３ｂ，３ｃ，３ｄからの光を外部に照射するための開口部を広くする必要が無いので、照明ランプを多数設けても、開口部を小さくできる。
【００２２】
また、図２と図５との対比により明らかなように、照明ランプ３ａ，３ｂ，３ｃ，３ｄを傾斜するように設ければ、基板８に垂直方向に、同じ数、同じサイズの照明ランプを照明ランプ同士が互いにぶつかり合わないように間隔を開いて取り付け場合に比べ、照明ランプの実装体積を広くとる必要がなくなる。これにより、照射範囲の照度を上げるため、照明ランプの数を多くしても、カメラ付インターホンが大型化しない。
【００２３】
したがって、カメラ付インターホン１は、照射範囲の照度を高くするために、たとえ、照明ランプの数を増やしても、照明ランプからの光を外部に照射するための開口部を広くする必要が無く、カメラ付インターホンが大型化しないので、小型で、デザイン的にも優れている。
また、図１に示したように、このカメラ付インターホン１では、照明ランプ３ａ，３ｂ，３ｃ，３ｄの各々の一対の端子を縦方向に設けられた一対の接続孔ｈ，ｈ；ｈ，ｈ；ｈ，ｈ；ｈ，ｈの各々に取り付けるようにしている。
【００２４】
照明ランプ３ａ，３ｂ，３ｃ，３ｄの各々は、一対の端子が並ぶ方向には、折り曲げ易い。
このカメラ付インターホン１では、照明ランプ３ａ，３ｂ，３ｃ，３ｄの各々の一対の端子を接続する一対の接続孔ｈ，ｈ；ｈ，ｈ；ｈ，ｈ；ｈ，ｈの各々を縦方向に設けているので、照明ランプ３ａ，３ｂ，３ｃ，３ｄの各々を隣接する照明ランプ３ａ，３ｂ，３ｃ，３ｄの照明パターン同士が互いにその一部がオーバーラップするように、傾斜させて配置させることが容易となる。このように、照明ランプ３ａ，３ｂ，３ｃ，３ｄの各々の一対の端子を接続する一対の接続孔ｈ，ｈ；ｈ，ｈ；ｈ，ｈ；ｈ，ｈの各々を縦方向に設ければ、カメラ付インターホン１の組立も容易となる。
【００２５】
尚、この発明の実施の形態では、４個の照明ランプ３ａ,３ｂ，３ｃ，３ｄが縦横２×２に設けられた例を説明したが、これは、単に本発明を説明するために用いたものであって、本発明に係るカメラ付インターホンは、照明ランプが４個の場合に限定されることはなく、照明ランプが２個以上設けられていればよいことは、言うまでもない。
【００２６】
尚、図１及び図４中に示す、接続孔ｈは、説明を容易とするために図示したものに過ぎず、実際には照明ランプの背後に隠れているので、外部には露呈しているものではないことはいうまでもない。
【００２７】
【発明の効果】
以上、詳細に説明したように、請求項１に記載のカメラ付インターホンでは、照明ランプとして、縦長楕円の照明パターンを有した複数の照明ランプを設けているので、縦方向についても幅広く照らすことができる。
請求項２に記載のカメラ付インターホンでは、更に、複数の照明ランプの各々を、隣接する照明ランプの照明パターン同士が互いにその一部がオーバーラップするように、各々の照射領域が横方向に並ぶように設けているので、横方向にも幅広く照らすことができる。
【００２８】
更に、複数の照明ランプの各々を、傾斜させて配置しているので、複数の照明ランプの各々の頭部側が互いに接近するように設ければ、照明ランプからの光を外部に照射するための開口部を広くする必要が無いので、照明ランプを多数設けても、開口部を小さくできる。これにより、照射範囲の照度が高く、デザイン的にも優れた、カメラ付インターホンを提供できる。
【図面の簡単な説明】
【図１】本発明のカメラ付インターホンの外観の一例を示す正面図である。
【図２】カメラ付インターホンに内蔵されているカメラユニットを概略的に説明する図であり、図２（ａ）は、その正面図を、図２（ｂ）は、カメラユニットを上方から下方に見た平面図である。
【図３】本発明に係るカメラ付インターホンに内蔵された、各々の照明ランプの照明パターンの重なり状態を説明する説明図である。
【図４】従来の暗視野時の照明ランプを有するカメラ付インターホンの外観の一例を概略的に示す正面図である。
【図５】従来のカメラ付インターホンに内蔵されているカメラユニットを概略的に説明する図であり、図５（ａ）は、その正面図を、図５（ｂ）は、カメラユニットを上方から下方に見た平面図である。
【図６】従来のカメラ付インターホンに内蔵された、各々の照明ランプの照明パターンの重なり状態を説明する説明図である。
【符号の説明】
１    カメラ付インターホン
２    カメラ
３ａ，３ｂ，３ｃ，３ｄ    照明ランプ
８  基板
ｗ  開口部
【図１】
0003692388.tif 000002
【図２】
0003692388.tif 000003
【図３】
0003692388.tif 000004
【図４】
0003692388.tif 000005
【図５】
0003692388.tif 000006
【図６】
0003692388.tif 000007